(57)【要約】【課題】輸送時や移動時等に生じる構成部材の揺動を防止するためのサポート部材を備えた密閉型電動圧縮機を提供する。【解決手段】密閉容器１内に圧縮部３と電動部２とがスプリング６を介して弾性懸架状態で収容され、クランクシャフト４の下端部に遠心ポンプ部材７が取り付けられて密閉容器１の底部に貯溜されている潤滑油９を汲み上げてクランクシャフトの軸受け部５ａ及び圧縮部３のピストン３ｂ摺動部等に給油できるようにした密閉型電動圧縮機において、前記遠心ポンプ部材７又は／及びクランクシャフト４の下端部の周囲を取り囲むようにして線材からなるサポート部材８を密閉容器１の底部１ａに取り付ける。このサポート部材８は、例えば線材を複数回巻いたコイル状に形成される。【選択図】      図１
2004293506.tif 000002
【特許請求の範囲】
【請求項１】
密閉容器内に圧縮部と電動部とがスプリングを介して弾性懸架状態で収容され、前記電動部の回転子に軸着したクランクシャフトの上部にクランクピンが偏心して設けられ、このクランクピンと前記圧縮部のピストンとの係合によりクランクピンの回転運動がピストンの往復運動に変換され、且つ前記クランクシャフトの下端部に遠心ポンプ部材が設けられ、前記密閉容器の底部に溜めた潤滑油を汲み上げて前記クランクシャフトの軸受け部及びピストンの摺動部に給油できるようにした密閉型電動圧縮機において、前記遠心ポンプ部材又は／及びクランクシャフトの下端部の周囲を取り囲むようにして線材からなるサポート部材を前記密閉容器の底部に取り付けたことを特徴とする密閉型電動圧縮機。
【請求項２】
前記線材からなるサポート部材はコイル状に形成されていることを特徴とする請求項１記載の密閉型電動圧縮機。
【発明の詳細な説明】
【０００１】
【発明の属する技術分野】
本発明は、密閉型電動圧縮機に関し、特に輸送時や移動時等に生じる構成部材の揺動を極力防止するサポート部材を備えた密閉型電動圧縮機に関する。
【０００２】
【従来の技術】
従来の密閉型電動圧縮機は、密閉容器内に圧縮部と電動部とが収容され、電動部に通電すると回転子に軸着されているクランクシャフトが軸回転すると共に、クランクシャフトに偏心して設けられているクランクピンが回転運動し、このクランクピンの回転運動はスコッチヨーク機構を介して往復運動に変換されて圧縮部のピストンに伝達される。そして、このピストンの往復運動により、シリンダ内に吸引したガスを圧縮するように構成されている（例えば、特許文献１）。
【０００３】
【特許文献１】
特開平８−１０５３８５号公報
【０００４】
上記従来の密閉型電動圧縮機において、回転子より下方に延びているクランクシャフトの下端部に遠心力によって潤滑油を汲み上げるポンプ部材が取り付けられ、密閉容器の底部に固定された潤滑油貯溜容器内に挿入されている。そして、密閉型電動圧縮機の運転中に、ポンプ部材によって潤滑油貯溜容器内の潤滑油を汲み上げ、クランクシャフトの内部に軸線方向に沿って設けられた通油孔及びクランクシャフトの外周面に設けられた螺旋溝を介してクランクシャフトの軸受け部及び圧縮部のピストン摺動部に潤滑油を供給できるようにしてある。
【０００５】
【発明が解決しようとする課題】
上記従来の密閉型電動圧縮機は、通常圧縮部のピストン摺動による振動が密閉容器に伝達しないように、圧縮部及び電動部を保持した構造体と密閉容器との間にコイルスプリングを取り付けて構造体を弾性的に懸架支持している。又、輸送時や移動時など密閉型電動圧縮機を動かす際に、構造体がスプリングを介して揺動するが、この揺動に伴うクランクシャフトの傾きを前記潤滑油貯溜容器が受け止することで、揺動を極力防止するようにしている。
【０００６】
しかしながら、上記潤滑油貯溜容器は、金属部材により略カップ状に形成し、且つ密閉容器の底部に貯溜される潤滑油を導入するための複数の孔を外周部に設けなければならない。このため、潤滑油貯溜容器の製造コストが高騰する問題があった。
【０００７】
本発明は、このような従来技術の問題を解決するためになされ、潤滑油貯溜容器よりも容易に且つ安価に製造できるサポート部材を備えた密閉型電動圧縮機を提供することを目的とする。
【０００８】
【課題を解決するための手段】
上記の目的を達成するための手段として、本発明の請求項１は、密閉容器内に圧縮部と電動部とがスプリングを介して弾性懸架状態で収容され、前記電動部の回転子に軸着したクランクシャフトの上部にクランクピンが偏心して設けられ、このクランクピンと前記圧縮部のピストンとの係合によりクランクピンの回転運動がピストンの往復運動に変換され、且つ前記クランクシャフトの下端部に遠心ポンプ部材が設けられ、前記密閉容器の底部に溜めた潤滑油を汲み上げて前記クランクシャフトの軸受け部及びピストンの摺動部に給油できるようにした密閉型電動圧縮機において、前記遠心ポンプ部材又は／及びクランクシャフトの下端部の周囲を取り囲むようにして線材からなるサポート部材を前記密閉容器の底部に取り付けたことを特徴とする。
【０００９】
又、本発明の請求項２は、請求項１記載の密閉型電動圧縮機において、前記線材からなるサポート部材はコイル状に形成されていることを特徴とするものである。
【００１０】
【発明の実施の形態】
次に、本発明に係る密閉型電動圧縮機の実施形態について添付図面を参照しながら説明する。図１は、本発明に係る密閉型電動圧縮機の概略断面図である。
【００１１】
図１において、１は密閉容器であり、上下二分割の金属製ケース部材を合わせて溶接することにより形成され、この密閉容器１内に電動部２を下部に、レシプロ式の圧縮部３を上部に配置して収容している。前記電動部２は、クランクシャフト４を軸着した回転子２ａと、固定子２ｂとから構成されている。又、前記圧縮部３は、円筒状のシリンダ３ａと、このシリンダ３ａ内を往復動するピストン３ｂと、前端がピストン３ｂにピンを介して取り付けられ、後端がクランクシャフト４に偏心させて設けたクランクピン４ａに係合連結されたスコッチヨーク式のロッド３ｃとから構成されている。
【００１２】
上記圧縮部３と電動部２とは、構造体５に固定されて密閉容器１の内壁にスプリング６を介して弾性懸架状態にて複数箇所（通常３箇所）支持されている。又、構造体５にはクランクシャフト４を軸支する軸受け部５ａが一体に形成されている。
【００１３】
前記クランクシャフト４には外周面に潤滑油の通る螺旋状の溝４ｂが設けられ、この溝４ｂの下端部に連通する通油孔４ｃが軸線方向に沿って形成されると共に、螺旋状の溝４ｂの上端部からクランクピン４ａの外周面に抜ける通油孔４ｄが形成され、この通油孔４ｄからクランクピン４ａの上端に通じる螺旋状の溝４ｅが外周面に形成されている。更に、クランクシャフト４の下端部には遠心ポンプ部材７が挿着されている。
【００１４】
この遠心ポンプ部材７は、円筒の内部に複数のフィン状のパドル７ａが設けられ、先端部（下端部）は縮径されて密閉容器１の底部に固定されたサポート部材８内に挿入されている。
【００１５】
サポート部材８は、図２（ａ）又は（ｂ）のように耐熱性及び耐油性の金属線材例えば直径３ｍｍ程度のＳＵＳ線材を用いて、複数回（例えば３〜５回）巻いたコイル状に形成され、図２（ｃ）のように下端リング部８ａを密閉容器１の底部１ａに固定して取り付ける。又、サポート部材８の上端リング部８ｂの内径は、前記遠心ポンプ部材７の外径より大きく設定し、遠心ポンプ部材７をサポート部材８内に挿入できるようにする。下端リング部８ａの内径は、上端リング部８ｂの内径より大きく形成して安定性を向上させることが好ましいが、必ずしもこれに限定されない。更に、上端リング部８ｂの内径を前記クランクシャフト４の下端部の外径より大きく設定し、クランクシャフト４の下端部を遠心ポンプ部材７と共にサポート部材８内に挿入するように構成してもよい。
【００１６】
このサポート部材８は、１本の金属線材をコイル状に巻くことで容易に製造することができ、しかも従来の潤滑油貯溜容器に比して安価に製造することができる。サポート部材８の形状はコイル状に限定されず、例えば図示は省略したが上下端のリング部を別体に形成し、これらの間に複数本（例えば２〜３本）の線材を外周に沿って差し渡して取り付けた形態のもの、或は上端リング部の外周に沿って複数本（例えば３本）の線材を脚として取り付けた略やぐら形態のもの等が考えられる。
【００１７】
このように構成された密閉型電動圧縮機は、前記電動部２に通電して回転子２ａが回転すると、クランクシャフト４が軸回転すると共にクランクピン４ａが偏心回転運動し、この回転運動が前記スコッチヨーク式のロッド３ｃを介して往復運動に変換され、ピストン３ｂが往復運動することによりシリンダ３ａ内に吸引したガスを圧縮する。密閉型電動圧縮機への低圧ガスの供給及び圧縮後の高圧ガスの排出は、従来と同様に密閉容器１に接続した供給管及び排出管（図略）により行われる。
【００１８】
密閉型電動圧縮機の運転中、クランクシャフト４の回転により前記遠心ポンプ部材７が密閉容器１の底部に貯溜されている潤滑油９を汲み上げる。この場合、サポート部材８の内部には潤滑油９が自由に出入できるため、従来の潤滑油貯溜容器のように潤滑油を導入するための孔が全く不要である。
【００１９】
遠心ポンプ部材７により汲み上げられた潤滑油９は、前記クランクシャフト４の通油孔４ｃの内壁を上昇して螺旋状の溝４ｂ内に入り、この溝４ｂから前記通油孔４ｄを経て螺旋状の溝４ｅを通過する。これにより、潤滑油が螺旋状の溝４ｂを通ることから前記軸受け部５ａが潤滑され、又潤滑油が螺旋状の溝４ｅを通ることから前記スコッチヨーク式のロッド３ｃの係合部が潤滑される。更に、潤滑油の一部はクランクピン４ａから外部に放射方向に放出されるため、その放出潤滑油によりピストン３ｂの摺動部が潤滑される。残余の潤滑油は落下して密閉容器１の底部１ａの潤滑油溜まりに戻る。
【００２０】
ところで、密閉型電動圧縮機を移動する際に、圧縮部３及び電動部２を保持した構造体５が前記スプリング６を介して揺動することがあるが、前記サポート部材８が遠心ポンプ部材７又は／及びクランクシャフト４の下端部の周囲を取り囲むようにして密閉容器１の底部１ａに固定されているため、揺動に伴う遠心ポンプ部材７又は／及びクランクシャフト４の下端部の傾きを受け止することにより、傾動を極力防止することができる。
【００２１】
又、サポート部材８は線材によりコイル状に形成されているため、遠心ポンプ部材７又は／及びクランクシャフト４の下端部の傾きを受け止する時に衝撃を吸収することができ、これにより遠心ポンプ部材７の変形や損傷等を防ぐことができる。揺動時の衝撃力によりサポート部材８自体が変形したり或は破損したりすることがないように、サポート部材８の強度を予め設定しておくことが肝要である。
【００２２】
【発明の効果】
以上説明したように、本発明に係る請求項１の発明によれば、密閉型電動圧縮機において、クランクシャフトの下端部に取り付けられる遠心ポンプ部材又は／及びクランクシャフトの下端部の周囲を取り囲むようにして線材からなるサポート部材を密閉容器の底部に取り付けたので、密閉型電動圧縮機の輸送時又は移動時等に生じる揺動を極力防止することができ、しかも従来の潤滑油貯溜容器に比して製造コストの低減を図ることができる。
【００２３】
又、本発明に係る請求項２の発明によれば、請求項１の密閉型電動圧縮機において、前記サポート部材をコイル状に形成したので、１本の線材から容易に製造することができ、且つ揺動時に遠心ポンプ部材又は／及びクランクシャフトの下端部との衝撃を吸収することができ、これにより遠心ポンプ部材の変形や破損等を防止する効果を奏する。
【図面の簡単な説明】
【図１】本発明に係る密閉型電動圧縮機の実施形態を示す概略断面図である。
【図２】（ａ）は本発明に係るサポート部材の一実施形態を示す斜視図、（ｂ）はサポート部材の他の実施形態を示す斜視図、（ｃ）はサポート部材の使用状態を示す説明図である。
【符号の説明】
１…密閉容器
１ａ…底部
２…電動部
２ａ…回転子
３…圧縮部
３ｂ…ピストン
３ｃ…ロッド
４…クランクシャフト
４ａ…クランクピン
５…構造体
６…スプリング
７…遠心ポンプ部材
８…サポート部材
９…潤滑油
【図１】
2004293506.tif 000003
【図２】
2004293506.tif 000004